(57)【特許請求の範囲】
【請求項１】
表面側に配置された表面シートと裏面側に配置された不透液性バックシートとの間に吸収要素が介在されてなる吸収性物品において、
前記表面シートと前記吸収要素の間に親水性の中間シートが配され、
前記表面シートにおける前記吸収要素と対向し、且つ、前記表面シートにおける吸収要素の前方向の縁から内側に１０〜３０ｍｍ離間した腹側中心線と吸収要素の後方向の縁から内側に１０〜３０ｍｍ離間した背側中心線との間に位置する領域にのみ撥水部が施され、
前記撥水部が施された面積（Ｓ１）／前記表面シートの前記吸収要素と対向する面積（Ｓ２）×１００から算出される面積比率（Ｓ）が１０〜３０％であり、
前記領域における任意の１０ｍｍ2の矩形面積内には、１〜５ｍｍ2以上の前記撥水部が施されている
ことを特徴とする、吸収性物品。
【請求項２】
前記吸収要素を前後方向に３分割してなる腹側吸収要素、股間吸収要素、背側吸収要素にそれぞれ対向する前記表面シートの腹側表面シート、股間表面シート、背側表面シートにおいて、
前記腹側表面シートの前記撥水部が、前記腹側表面シートの前後方向の腹側中心線から股間側に施され、
前記背側表面シートの前記撥水部が、前記背側表面シートの前後方向の背側中心線から股間側に施され、
前記面積比率（Ｓ）が、前記腹側表面シートでは１２．５〜１５％であり、前記股間表面シート２．５〜５．０％であり、前記背側表面シートでは１０．０〜１２．５％である請求項１記載の吸収性物品。
【請求項３】
前記中間シートは、多数の開孔を有し、前記表面シートと前記中間シートの非開孔部と前記吸収要素が固着されている固着領域に、前記撥水部が施されている請求項１または２に記載の吸収性物品。
【請求項４】
前記中間シートは、嵩高であり目付けが２０〜８０ｇ／ｍ2、開孔率（ｓ）が２０〜５０％、前記開孔の直径が０，０５〜２ｍｍである請求項１乃至３のいずれかに記載の吸収性物品。
【請求項５】
前記撥水部が、プリント印刷により施されている請求項１乃至４のいずれかに記載の吸収性物品。
【請求項６】
前記プリント印刷によりドット印刷３８が施され、前記ドット直径が０．０５〜１ｍｍである請求項５に記載の吸収性物品。
【発明の詳細な説明】
【技術分野】
【０００１】
本発明は、表面シートの表面に撥水印刷がされた使い捨て紙おむつ、生理用ナプキン、尿取りパッド等の吸収性物品に関するものである。
【背景技術】
【０００２】
使い捨て紙おむつ、生理用ナプキン、尿取りパッド等の吸収性物品にあっては、着用者の肌を保護するため、着用者の肌に接する表面シートの部位にエンボスを施したり、ローション等の薬剤を塗工したり、ローション等の薬剤が練り込まれた繊維を用い表面シートを生成する等、表面シートの通気性・柔軟性の改善が行なわれている。
また、着用者の肌のカブレを引き起こすウエットバックの発生を抑制するため種々の改善も行なわれている。
例えば、表面シートと吸収要素との間に中間シートを設け中間シートを嵩高にすることにより表面シートと吸収要素との間隔を広げたり、多数の空隙を有する中間シートやエンボスが施された中間シートを設け中間シートの保水量を低減したり、表面シートより高い親水性を有する中間シートを設け表面シート上に排泄された尿等の排泄物を迅速に吸収要素に吸収させると共に、一度、吸収要素に吸収された尿が表面シートへの逆戻りを防止する等、ウエットバックの発生を抑制する改善が行なわれている。
ウエットバッグの発生を効果的に抑制するためには、表面シートより高い親水性を有する中間シートを設け、表面シートの親水性と中間シートの親水性を大きく相違させることが重要であり、従来、親水性が低い表面シートを用いることにより、表面シートと中間シートとの親水性を大きく相違させる方法が行なわれている。  
【先行技術文献】
【特許文献】
【０００３】
【特許文献１】特開２００６−６１１７５号公報
【特許文献２】特開２００３−１２４９０号公報
【特許文献３】特開２００５―２７８８８５号公報
【特許文献４】特開２００５−５２１８６号公報
【特許文献５】特開２００９―１７２３６３号公報
【発明の概要】
【発明が解決しようとする課題】
【０００４】
しかし、親水性が低い表面シートを使用すると、表面シートと尿とのぬれ性が悪くなり尿が表面シートで弾かれ、尿が表面シートを透過せず漏れを引き起こす恐れがあった。また、複数回の排尿があった場合においては、表面シートの表面に尿が尿滴となり残存することから着用者の肌のカブレを引き起こす恐れがあった。
一方、親水性が高い表面シートを用いると、表面シートと中間シートとの親水性との相違が小さくなるため、着用者の体圧が吸収要素に加わると吸収要素に吸収されていた尿が吸収要素から中間シートを介し表面シートに逆戻りしやすくなり着用者の肌のカブレを引き起こす恐れがあった。
そこで、本発明の主たる課題は、着用者の肌に接する表面シートの部位に撥水印刷を施すと共に、撥水印刷が占める面積比率を一定以下にすることにより、表面シート上に排泄された尿を迅速に吸収要素に吸収させると共に、一度、吸収要素に吸収された尿の表面シートへのウエットバックが少ない吸収性物品を提供することにある。
【課題を解決するための手段】
【０００５】
上記課題を解決した本発明は次記のとおりである。
＜請求項１記載の発明＞
表面側に配置された表面シートと裏面側に配置された不透液性バックシートとの間に吸収要素が介在されてなる吸収性物品において、
前記表面シートと前記吸収要素の間に親水性の中間シートが配され、
前記表面シートにおける前記吸収要素と対向し、且つ、前記表面シートにおける吸収要素の前方向の縁から内側に１０〜３０ｍｍ離間した腹側中心線と吸収要素の後方向の縁から内側に１０〜３０ｍｍ離間した背側中心線との間に位置する領域にのみ撥水部が施され、
前記撥水部が施された面積（Ｓ１）／前記表面シートの前記吸収要素と対向する面積（Ｓ２）×１００から算出される面積比率（Ｓ）が１０〜３０％であり、
前記領域における任意の１０ｍｍ2の矩形面積内には、１〜５ｍｍ2以上の前記撥水部が施されている
ことを特徴とする、吸収性物品。
【０００６】
（作用効果）
本発明は、表面シートにおける前記吸収要素と対向し、且つ、表面シートにおける吸収要素の前方向の縁から内側に１０〜３０ｍｍ離間した腹側中心線と吸収要素の後方向の縁から内側に１０〜３０ｍｍ離間した背側中心線との間に位置する領域にのみ撥水部が施され、撥水部が施された面積（Ｓ１）と表面シートの吸収要素と対向する面積（Ｓ２）から算出される面積比率（Ｓ）が１０〜３０％であることから、着用者と最も頻繁に接する領域において、中間シートの親水性が表面シートの親水性に比較し高くなっており、表面シート上に排尿された尿が迅速に吸収要素に吸収され、且つ、吸収要素に吸収された尿が吸収要素から中間シートを介し表面シートに逆戻りするウエットバックを抑制することができる。
また、表面シートにおける吸収要素の前方向の縁と腹側中心線の間と吸収要素の後方向の縁と背側中心線間の領域には撥水部が設けられていないことから、表面シート上を前後方向に拡散する尿を確実に吸収要素の前後方向の縁近傍部に吸収でき吸収性物品の外部への尿漏れを防止することができる。
さらに、撥水部が施された面積（Ｓ１）と表面シートの吸収要素と対向する面積（Ｓ２）から算出される面積比率（Ｓ）が１０〜３０％であることから、表面シートの排尿箇所の近傍部において、表面シート上に排尿された大部分の尿は迅速に吸収要素に吸収され、表面シート上を前後方向に拡散する尿は少なく吸収性物品の外部への尿漏れを防止することができる。
領域における任意の１０ｍｍ2の矩形面積内には、１〜５ｍｍ2以上の撥水部が施されていることから、吸収要素から中間シートを介し表面シートに逆戻りする尿の障害となりウエットバックを抑制することができる。
【０００７】
＜請求項２記載の発明＞
前記吸収要素を前後方向に３分割してなる腹側吸収要素、股間吸収要素、背側吸収要素にそれぞれ対向する前記表面シートの腹側表面シート、股間表面シート、背側表面シートにおいて、
前記腹側表面シートの前記撥水部が、前記腹側表面シートの前後方向の腹側中心線から股間側に施され、
前記背側表面シートの前記撥水部が、前記背側表面シートの前後方向の背側中心線から股間側に施され、
前記面積比率（Ｓ）が、前記腹側表面シートでは１２．５〜１５％であり、前記股間表面シート２．５〜５．０％であり、前記背側表面シートでは１０．０〜１２．５％である請求項１記載の吸収性物品。
【０００８】
（作用効果）
請求項２に係る発明にあっては、腹側表面シートの撥水部が腹側表面シートの前後方向の腹側中心線から股間側に施され、腹側表面シートでの面積比率（Ｓ）が１２．５〜１５％であることから、特に、排尿箇所が腹側に位置する男子が着用した場合にあっても、表面シート上に排尿された尿は迅速に吸収要素に吸収され、また、腹側表面シートに施された撥水部が吸収要素から中間シートを介し腹側表面シートに逆戻りする尿の障害となりウエットバックを抑制することができる。
また、股間表面シートでの面積比率（Ｓ）が２．５〜５．０％であることから、表面シート上に排尿された尿は迅速に吸収要素に吸収され、複数回の排尿が行なわれた場合にあっても、股間表面シート上に尿の残存を防止することができる。
さらに、背側表面シートの撥水部が背側表面シートの前後方向の背側中心線から股間側に施され、背側表面シートでの面積比率（Ｓ）が１０．０〜１２．５％であることから、特に、排尿箇所が股間から背側に位置する女子が着用した場合にあっても、表面シート上に排尿された尿は迅速に吸収要素に吸収され、また、背側表面シートに施された撥水部が吸収要素から中間シートを介し背側表面シートに逆戻りする尿の障害となりウエットバックを抑制することができる。
【０００９】
＜請求項３記載の発明＞
前記中間シートは、多数の開孔を有し、前記表面シートと前記中間シートの非開孔部と前記吸収要素が固着されている固着領域に、前記撥水部が施されている請求項１または２に記載の吸収性物品。
【００１０】
（作用効果）
請求項３に係る発明は、中間シートが多数の開孔を有することから、中間シートの親水性がより一層高く、表面シート上に排尿された尿をより迅速に吸収要素に吸収することができる。
また、表面シートと中間シートの非開孔部と吸収要素が固着されている固着領域に撥水部が施されていることから、吸収要素から中間シートを介し表面シートに逆戻りする尿の障害となりウエットバックを効果的に抑制することができる。
なお、中間シートの開孔部にあっては、毛細管力が働かないことから、吸収要素に吸収された尿が逆戻りすることはない。
【００１１】
＜請求項４記載の発明＞
前記中間シートは、嵩高であり目付けが２０〜８０ｇ／ｍ2、開孔率（ｓ）が２０〜５０％、前記開孔の直径が０，０５〜２ｍｍである請求項１乃至３のいずれかに記載の吸収性物品。
【００１２】
（作用効果）
請求項４に係る発明は、嵩高であり目付けが２０〜８０ｇ／ｍ2であることから、表面シートと吸収要素の設置間隔を広く維持することができるためウエットバックをより一層抑制することができる。
また、開孔率（ｓ）が２０〜５０％、記開孔の直径が０，０５〜２ｍｍであることから、吸収要素に吸収された尿が逆戻り経路を低減させることができる。
【００１３】
＜請求項５記載の発明＞
前記撥水部が、プリント印刷により施されている請求項１乃至４のいずれかに記載の吸収性物品。
【００１４】
（作用効果）
請求項５に係る発明は、撥水部が、プリント印刷により施されていることから、表面シートの撥水部の摩擦係数が小さく着用者の肌に接触しても肌を傷付けることはない。
【００１５】
＜請求項６記載の発明＞
前記プリント印刷によりドット印刷が施され、前記ドット直径が０．０５〜１ｍｍである請求項５に記載の吸収性物品。
【００１６】
（作用効果）
請求項６に係る発明は、プリント印刷によりドット印刷が施され、ドット直径が、０．０５〜１ｍｍであることから、見栄えの良好な印刷を得られ、特に、幼児が着用する場合に、幼児の興味を引きつけることができる。
【発明の効果】
【００１７】
以上のとおり、本発明によれば、表面シート上に排尿された尿を吸収要素に迅速に吸収でき、吸収要素に吸収された尿が表面シートに逆戻りするウエットバックを抑制でき、吸収性物品の外部への尿漏れを防止することができる等の利点がもたらされる。
【図面の簡単な説明】
【００１８】
【図１】撥水部が施されたパンツタイプ使い捨ておむつの内面を示す、おむつを展開した状態における平面図である。
【図２】図１の部分拡大図である。
【図３】パンツタイプ使い捨ておむつの内面を示す、おむつを展開した状態における平面図である。
【図４】パンツタイプ使い捨ておむつの外面を示す、おむつを展開した状態における平面図である。
【図５】図３の３−３断面図である。
【図６】図３の４−４断面図である。
【図７】図３の５−５断面図である。
【図８】パンツタイプ使い捨ておむつの要部のみを示す、おむつを展開した状態における平面図である。
【図９】パンツタイプ使い捨ておむつの要部のみを示す、断面図である。
【図１０】パンツタイプ使い捨ておむつの斜視図である。
【発明を実施するための形態】
【００１９】
以下、本発明の実施形態について、添付図面を参照しつつ詳説する。
図１〜図１０は、パンツタイプ使い捨ておむつの一例１００を示している。なお、本発明は、パンツタイプ使い捨ておむつに限定されるものではなく、テープ式使い捨ておむつ、生理用ナプキン、尿取りパットに適用することができる。
【００２０】
請求項の「撥水部が施された面積（Ｓ１）」、「表面シートの前記吸収要素と対向する面積（Ｓ２）」とは、図１の「Ｓ１」、「Ｓ２」を意味する。
「腹側吸収要素」、「股間吸収要素」、「背側吸収要素」とは、図１の「ＨＹ」、「ＫＹ」、「ＳＹ」を意味し、「腹側中心」とは、腹側吸収要素の前後方向の中心線であり図１の「ＣＨ」を意味し、「背側中心」とは、背側吸収要素の前後方向の中心線であり図１の「ＣＳ」を意味すし、「腹側表面シート」、「股間表面シート」、「背側表面シート」とは、図１の「ＨＳ」、「ＫＳ」、「ＳＳ」を意味する。
【００２１】
パンツタイプ使い捨ておむつ１００は、製品外面（裏面）をなす外装シート１２と、外装シートの内面に貼り付けられた内装体２００とから構成されているものである。内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。なお、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃量側部を重ね合わせるようにおむつ１００を股間部で２つに折った際に胴回り方向と直交する方向、換言すればウエスト開孔部ＷＯ側と股間部側とを結ぶ方向を意味する。
【００２２】
（内装体）
内装体２００は任意の形状を採ることができるが、図示の形態では長方形である。内装体２００は、図５〜図７に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００２３】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されないが撥水部３５を生成する観点から長繊維が好適である。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２４】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００２５】
バリヤーカフス６０を設ける場合、表面シート３０の両側部は、不透液性バックシート１１とバリヤーカフス６０との間を通して、吸収要素５０の裏側まで回りこませ、液の浸透を防止するために、不透液性バックシート１１及びバリヤーカフス６０に対してホットメルト接着剤等により接着するのが好ましい。
【００２６】
（撥水部）
表面シート３０の吸収要素５０と対向する領域には、図１に示されるように、撥水部３５が設けられている。
吸収要素５０を前後方向に３分割した腹側吸収要素（ＨＹ）に対向する表面シート３０の腹側表面シート（ＨＳ）には、腹側吸収要素（ＨＹ）の前後方向の腹側中心から股間側の領域に面積比率が１２．５〜１５％の撥水部３５が設けられている。
【００２７】
面積比率が１２．５％以下の場合、吸収要素５０に吸収された尿が、着用者の体圧が吸収要素５０に加わった際に、中間シート４０を介して腹側表面シート（ＨＳ）の表面まで逆戻りする恐れがある。一方、面積比率が１５％以上の場合、特に、排尿箇所が腹側に位置する男子がパンツタイプ使い捨ておむつ１００を着用した際に、撥水部３５が障害となり腹側表面シート（ＨＳ）上に排尿された尿が吸収要素５０に迅速に吸収されず、パンツタイプ使い捨ておむつ１００の外部に尿が漏れ出す恐れがある。
【００２８】
吸収要素５０を前後方向に３分割した股間吸収要素（ＫＹ）に対向する表面シート３０の股間表面シート（ＫＳ）には、股間表面シート（ＫＳ）の全領域に面積比率が２．５〜５．０％の撥水部３５が設けられている。
【００２９】
面積比率が２．５％以下の場合、吸収要素５０に吸収された尿が、着用者の体圧が吸収要素５０に加わった際に、中間シート４０を介して股間表面シート（ＫＳ）の表面まで逆戻りする恐れがある。一方、面積比率が５．０％以上の場合、撥水部３５が障害となり股間表面シート（ＫＳ）上に排尿された尿が迅速に吸収要素５０に吸収されず、また、複数回に亘り排尿が行なわれた際に、股間表面シート（ＫＳ）上に尿の残存し着用者の肌のカブレを引き起こす恐れがある。
【００３０】
吸収要素５０を前後方向に３分割した背側吸収要素（ＳＹ）に対向する表面シート３０の背側表面シート（ＳＳ）には、背側吸収要素（ＳＹ）の前後方向の背側中心から股間側の領域に面積比率が１０．０〜１２．５％の撥水部３５が設けられている。
【００３１】
面積比率が１０．０％以下の場合、吸収要素５０に吸収された尿が、着用者の体圧が吸収要素５０に加わった際に、中間シート４０を介して背側表面シート（ＳＳ）の表面まで逆戻りする恐れがある。一方、面積比率が１２．５％以上の場合、特に、排尿箇所が股間から背側に位置する女子がパンツタイプ使い捨ておむつ１００を着用した際に、撥水部３５が障害となり背側表面シート（ＳＳ）上に排尿された尿が吸収要素５０に迅速に吸収されず、パンツタイプ使い捨ておむつ１００の外部に尿が漏れ出す恐れがある。
【００３２】
パンツタイプ使い捨ておむつ１００のサイズにより異なるが、上述した腹側吸収要素（ＨＹ）の前後方向の腹側中心、背側吸収要素（ＳＹ）の前後方向の背側中心は、それぞれ吸収要素５０の前後方向の縁から内側に１０〜３０ｍｍに位置する。よって、腹側吸収要素（ＨＹ）の前後方向の腹側中心から外側、背側吸収要素（ＳＹ）の前後方向の背側中心から外側にそれぞれ対向する表面シート３０の腹側表面シート（ＨＳ）、背側吸収要素（ＳＹ）には撥水部３５が設けられていないことになる。
吸収要素５０の前後方向の縁から１０〜３０ｍｍ内側に対向する表面シート３０に撥水部３５を設けた場合、表面シート３０の表面を前後方向に伝わる尿が、吸収要素５０に吸収されず、パンツタイプ使い捨ておむつ１００の外部に漏れる恐れがある。
また、パンツタイプ使い捨ておむつ１００においては、撥水部３５の面積比率はおよそ２０〜２６％である。
【００３３】
撥水部３５と中間シート４０との関係であるが、セカンドシート４０に対向する表面シート３０の撥水部３５を、撥水部３５が施された全面積の５０％以下にした場合、吸収阻害の発生によるモレを防止できる。吸収性とモレの観点から好適である。
【００３４】
撥水部３５は、１０ｍｍ2の矩形面積内にプリント印刷手段により撥水性インキが格子状に１〜５ｍｍ2のドット印刷３８が施されている。撥水部３５の生成手段としては、プリント印刷、プリント転写、スプレー塗布、接触塗工が挙げられるが、プリント印刷により生成した場合、撥水部３５の摩擦係数が小さく、着用者の肌と接触しても着用者の肌を傷つけることがなく好適である。また、ドット印刷３８のドット直径を０，０５〜１ｍｍにした場合、撥水部３５に施された印刷が鮮明になり着用者の興味を喚起できる。さらに、撥水性インキを千鳥状、碁盤状に印刷することもできる。
【００３５】
後述する多数の開孔４５を有するセカンドシート４０の使用する場合にあっても、表面シート４０の撥水部３５を形成するドット印刷をセカンドシート４０の開孔４５が形成されていない非開孔部に設けられており、吸収要素５０に吸収された尿がセカンドシート４０介し表面シート４０の表面への逆戻りを防止する観点から好適である。
【００３６】
（撥水性インキ）
撥水部３５を生成する撥水性インキとしては、変性高分子シリカ系塗料、油性溶剤に染料を複合したもの、メジウムを主成分とするインキにノニオン系やアニオン系のワックスエマルジョンを混合したもの等があるが、尿との接触により撥水性インキが滲まず、印刷が維持される点で油性インキを用いるのが好ましく、２種以上の撥水性インキを併用しても良い。
【００３７】
撥水性インキの色は、適宜定めることができ、表面シート５０と同系色である無色、透明色、白色あっても、異系色であっても良い。前者の場合、撥水部３５と表面シート５０との色が近似するため撥水部３５が表面シート５０により隠蔽され好適である。一方、後者の場合、撥水部３５に種々のデザインを印刷することができ、着用者の興味を喚起し、知徳教育等に利用可能である。
【００３８】
撥水性インキには、消臭剤、抗菌剤、ｐＨ調整剤、芳香剤、界面活性剤、各種指示薬を配合することもできる。このような場合、消臭剤等が含有されたマイクロカプセルが混在する撥水性インキを使用することが好適である。
【００３９】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。
【００４０】
中間シート４０としては、表面シート３０と同様の素材や、スパンレース、スパンボンド、ＳＭＳ、パルプ不織布、パルプとレーヨンとの混合シート、ポイントボンド又はクレープ紙、多数の開孔を有するフィルムシートを例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００４１】
中間シート４０には、図２に示されるように、多数の開孔４５が形成されている。開孔４５の直径は、０．０５〜２．０ｍｍ、好適には０．１〜１．０ｍｍとし、その開孔数は２００〜６００個／ｃｍ2程度とし、開孔率を２０〜５０％とするのが望ましい。開孔４５を形成するには、開孔前の中間シート４０を、多数の開孔を有する支持体の上面に位置させた状態で、支持体の下方から吸引したり、支持体の上面から空気圧を加圧したりする方法等により形成することができる。
【００４２】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００４３】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
【００４４】
不透液性バックシート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
【００４５】
また、不透液性バックシート１１の内側、特に吸収体５６側面に、液分の吸収により色が変化する排泄インジケータを設けることができる。
【００４６】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００４７】
より詳細には、バリヤーカフス６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。バリヤーカフス６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸張状態で固定されている。
【００４８】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたバリヤーシートの間に防水フィルムを介在させることもできる。
【００４９】
バリヤーカフス６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００５０】
バリヤーカフス６０の取付部分６５の固定対象は、内装体２００における表面シート３０、不透液性バックシート１１、吸収要素５０等適宜の部材とすることができる。
【００５１】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図５に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００５２】
バリヤーカフス６０の寸法は適宜定めることができるが、乳幼児用紙おむつの場合は、例えば図９に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００５３】
なお、図示形態と異なり、内装体２００の左右各側においてバリヤーカフスを二重に（二列）設けることもできる。
【００５４】
（吸収要素）
吸収要素５０は、吸収体５６と、この吸収体５６の全体を包む包装シート５８とを有する。包装シート５８は省略することもできる。
【００５５】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５６】
吸収体５６は長方形形状でも良いが、図８にも示すように、前端部、後端部及びこれらの間に位置し、前端部及び後端部と比べて幅が狭い括れ部とを有する砂時計形状を成していると、吸収体５６自体とバリヤーカフス６０の、脚回りへのフィット性が向上するため好ましい。
【００５７】
また、吸収体の寸法は適宜定めることができるが、前後方向及び幅方向において、内装体の周縁部又はその近傍まで延在しているのが好ましい。
【００５８】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５９】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００６０】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６１】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６２】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６３】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６４】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００６５】
（外装シート）
外装シート１２は、股間部から腹側に延在する前身頃Ｆと、股間部から背側に延在する後身頃Ｂとを有し、これら前身頃Ｆの両側部と後身頃Ｂの両側部とが接合されて、図１０に示すように、装着者の胴を通すための胴開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃のウエスト端縁から後身頃のウエスト端縁までの前後方向中央を意味し、それよりも前側の部分及び後側の部分が前身頃Ｆ及び後身頃Ｂをそれぞれ意味する。
【００６６】
外装シート１２は、胴開口部ＷＯから脚開口部ＬＯの上端に至る前後方向範囲として定まる胴周り部Ｔと、脚開口部ＬＯを形成する部分の前後方向範囲として定まる中間部Ｌとを有する。胴周り部Ｔは、概念的に「ウエスト側端部」Ｗと「胴周り下部」Ｕとに分けることができる。これらの前後方向の長さは、製品のサイズによって異なり、適宜定めることができるが、一例を挙げると、ウエスト側端部Ｗは１５〜４０ｍｍ、胴周り下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図３〜図１０に示す形態のように、すっきりとした外観とするために最も幅が狭い部分では内装体２００の幅より狭くすることが好ましいが、最も幅が狭い部分でも内装体２００の幅以上となるように定めてもよい。
【００６７】
外装シート１２は、図５〜図７に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００６８】
シート基材１２Ｓ，１２Ｈとしては、シート基材であれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００６９】
また、外装シート１２を通して後述する印刷シート２５のデザインを製品外面から良好に視認できるように、外装シート１２の総目付けは２０〜６０ｇ／ｍ2程度であるのが好ましく、外装シート１２のＪＩＳ Ｋ ７１０５に規定される全光線透過率が４０％以上、特に５０％以上となっているのが好ましい。
【００７０】
そして、外装シート１２には、胴回りに対するフィット性を高めるために、両シート基材１２Ｓ，１２Ｈ間に糸ゴム等の細長状弾性伸縮部材１５〜１９が所定の伸張率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００７１】
より詳細には、後身頃Ｂ及び前身頃Ｆのウエスト端部（上端部）Ｗにおける内側シート基材１２Ｈの内側面と外側シート基材１２Ｓの折り返し部分１２ｒの外側面との間には、幅方向全体にわたり連続するように、複数のウエスト部弾性伸縮部材１７，１８が上下方向に間隔を空けて、かつ所定の伸張率で幅方向に沿って伸張された状態で固定されている。また、ウエスト部弾性伸縮部材１７，１８のうち、胴周り下部Ｕに隣接する領域に配設される１本または複数本については、内装体２００と重なっていてもよいし、内装体２００と重なる幅方向中央部を除いてその幅方向両側にそれぞれ設けてもよい。このウエスト弾性伸縮部材１７，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、ウエスト部弾性伸縮部材１７，１８は、その全てが同じ太さと伸張率にする必要はなく、例えばウエスト側端部Ｗの上部と下部で弾性伸縮部材の太さと伸張率が異なるようにしてもよい。
【００７２】
また、前身頃Ｆ及び後身頃Ｂの胴周り下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、複数の細長状弾性伸縮部材１５，１９が上下方向に間隔を空けて、かつ所定の伸張率で幅方向に沿って伸張された状態で固定されている。
【００７３】
胴回り下部Ｕの細長状弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００７４】
また、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、複数の細長状弾性伸縮部材１６が上下方向に間隔を空けて、かつ所定の伸張率で幅方向に沿って伸張された状態で固定されている。
【００７５】
中間部Ｌの細長状弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００７６】
なお、図示のように、胴回り下部Ｕ及び中間部Ｌの細長状弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがないため好ましい。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。もちろん細長状弾性伸縮部材１５，１９，１６，１８の配設形態は上記例に限るものではなく、胴回り下部Ｕの幅方向全体にわたり伸縮力が作用するように、胴回り下部Ｕの細長状弾性伸縮部材１５，１９，１６，１８の一部または全部を、内装体２００を横切ってその幅方向一方側から他方側まで設けることもできる。
【００７７】
また、細長状弾性伸縮部材１５〜１９が後述する印刷シート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００７８】
（後処理テープ）
外装シート１２の後身頃Ｂの外面における幅方向中央部には、後処理テープ７０（固定手段）が設けることができる。後処理テープ７０は、おむつ１００を表面シート３０が内側に且つ前身頃Ｆが内側となるように丸め若しくは折り畳んだ状態で固定するためのものである。一般的な後処理テープ７０は、図７に示すように、基端部７１が外装シート１２の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
【００７９】
廃棄時には、おむつ１００を表面シート３０が内側になるとともに前身頃Ｆが内側となるように丸め若しくは折り畳んだ後、後処理テープ７０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
【００８０】
後処理テープ７０等の固定手段は、前身頃Ｆに設けてもよく、後身頃Ｂと前身頃Ｆの両方に設けてもよい。
【００８１】
（印刷シート）
不透液性バックシート１１と外装シート１２との間（外装シート１２の層間を含む）には、印刷によりデザインの施された印刷シート２５が設けられている。外装シート１２を省略し、印刷シート２５が外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００８２】
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
【００８３】
印刷シート２５のシート基材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【産業上の利用可能性】
【００８４】
本発明は、上記例のようなパンツタイプ使い捨ておむつに利用できるものである。
【符号の説明】
【００８５】
１１…不透液性バックシート、１２…外装シート、１２ｒ…折り返し部分、２５…印刷シート、２００…内装体、３０…表面シート、３５…撥水部、４０…中間シート、４５…開孔、５０…吸収要素、５６…吸収体、５８…包装シート、６０…側部バリヤーカフス、６２…バリヤーシート。
【図１】
0005610801.tif 000002
【図２】
0005610801.tif 000003
【図３】
0005610801.tif 000004
【図４】
0005610801.tif 000005
【図５】
0005610801.tif 000006
【図６】
0005610801.tif 000007
【図７】
0005610801.tif 000008
【図８】
0005610801.tif 000009
【図９】
0005610801.tif 000010
【図１０】
0005610801.tif 000011